(57)【特許請求の範囲】
【請求項１】
靴のアッパーであって、
前記アッパーの後足部の外側面には、少なくとも１つの低剛性部が設けられ、
前記低剛性部の上下方向の領域は、外踝または前記外踝よりも下方の前記アッパーの部位の一部または全部を含み、
前記低剛性部の前後方向の領域は、距骨の前端から後端までのアッパーの部位の一部または全部を含み、
前記低剛性部は、前記アッパーを形成する内皮および外皮の双方を貫く貫通部で定義される。
【請求項２】
靴のアッパーであって、
前記アッパーの後足部の外側面には、少なくとも１つの低剛性部が設けられ、
前記低剛性部の上下方向の領域は、外踝または前記外踝よりも下方の前記アッパーの部位の一部または全部を含み、
前記低剛性部の前後方向の領域は、距骨の前端から後端までのアッパーの部位の一部または全部を含み、
前記低剛性部は前記アッパーを形成する内皮、外皮および内皮と外皮との間のクッション材を貫通している。
【請求項３】
請求項１もしくは２のアッパーにおいて、
前記低剛性部の前後方向の領域は、前記外踝の前端から後端までのアッパーの部位の一部または全部を含む。
【請求項４】
請求項１〜３のいずれか１項のアッパーにおいて、
前記低剛性部の上下方向の領域は、前記外踝の上下方向の中心から距骨下関節の最下端または外踝の最下端までのアッパーの部位の一部または全部を含む。
【請求項５】
請求項１〜４のいずれか１項のアッパーにおいて、
前記低剛性部の上下方向の領域は、前記外踝の上端から距骨下関節の最下端までのアッパーの部位の一部または全部を含む。
【請求項６】
請求項１〜４のいずれか１項のアッパーにおいて、
前記低剛性部の上下方向の領域は、前記外踝の上端から外踝の下端までのアッパーの部位の一部または全部を含む。
【請求項７】
請求項１〜６のいずれか１項のアッパーにおいて、
前記アッパーの後足部の上縁は前記外踝の下端よりも上方に配置され前記外踝の少なくとも一部を覆っている。
【請求項８】
請求項１〜７のいずれか１項のアッパーにおいて、
前記低剛性部は前記前後方向に１ｃｍ〜８ｃｍの長さを有している。
【請求項９】
靴のアッパーであって、
前記アッパーの後足部の上縁は前記外踝の下端よりも上方に配置され前記外踝の少なくとも一部を覆っており、
前記アッパーの後足部の外側面には、前記アッパーを形成する内皮および外皮のうち少なくとも外皮を貫く貫通部が設けられ、
前記貫通部は周囲がアッパーの外皮に完全に囲まれた少なくとも１つの貫通孔または切り込みからなり、
前記貫通部の上下方向の領域は、前記外踝の上端から距骨下関節の最下端または外踝の最下端までのアッパーの部位の一部または全部を含み、
前記貫通部の前後方向の領域は、距骨と踵骨との間の前記距骨下関節の前端から後端までのアッパーの部位の一部または全部を含み、
前記貫通部は前後方向に１ｃｍ〜８ｃｍの長さを有している。
【請求項１０】
請求項９のアッパーにおいて、
前記貫通部の上下方向の領域は、前記外踝の上下方向の中心から距骨下関節の最下端または外踝の最下端までのアッパーの部位の一部または全部を含む。
【請求項１１】
請求項１０のアッパーにおいて、
前記貫通部は前記内皮および外皮の双方を貫通している。
【請求項１２】
請求項１〜１１のいずれか１項のアッパーにおいて、
前記低剛性部または貫通部は、前記上下方向に比べ前記前後方向に長い。
【発明の詳細な説明】
【技術分野】
【０００１】
本発明は靴のアッパーに関する。
【背景技術】
【０００２】
プロネーションを抑制するソールの構造を備えた靴は多数提案されている。アッパーの構造で前記プロネーションを抑制する靴も公知である。
【先行技術文献】
【特許文献】
【０００３】
【特許文献１】ＪＰ０１−６６１０９Ｙ（第１図）
【特許文献２】ＪＰ０１−６６１１０Ｙ（第１図）
【発明の概要】
【０００４】
しかし、前記先行文献の発明は走り高跳び用に開発されており、一般的な靴や運動靴には採用し難い構造となっている。
【０００５】
したがって、本発明の目的は一般的な靴や運動靴においてプロネーションの抑制に役立つ靴のアッパーを提供することである。
【０００６】
本発明は靴のアッパーであって、
前記アッパーの後足部の外側面には、少なくとも１つの低剛性部が設けられ、
前記低剛性部の上下方向の領域は、外踝または前記外踝よりも下方の前記アッパーの部位の一部または全部を含み、
前記低剛性部の前後方向の領域は、距骨の前端から後端までのアッパーの部位の一部または全部を含む。
【０００７】
本発明において低剛性部とは、当該低剛性部の周囲のアッパーの部位に比べ、引張剛性または曲げ剛性が小さいことを意味する。前記低剛性部は楕円形状や長円形状などの貫通孔や細長いスリット状の貫通孔、あるいは、ライン状の切り込みなどの貫通部を包含する。更に、前記貫通部はアッパーの内面または外面から閉塞されていてもよい。
【０００８】
踵接地後、当該部位上の皮膚が変形するため、当該部位又はその近傍を低剛性にすることにより、アッパーが変形し易く、踵骨が外反する方向への慣性力が抑えられ、踵骨外反が抑えられる。したがって、プロネーションの抑制に寄与するだろう。
【図面の簡単な説明】
【０００９】
【図１】本発明の実施例１の靴を斜め後方の外側から見た斜視図である。
【図２】同実施例の靴の外側面図である。
【図３】同実施例の靴の内側面図である。
【図４】貫通部と足の骨格との関係を示す外側面図である。
【図５】同実施例の靴と足の骨格との関係を示す外側面図である。
【図６】同実施例の靴の後足部の横断面図である。
【図７】実施例２の靴を斜め後方の外側から見た斜視図である。
【図８】テストに用いた靴およびテスト結果を示す図表である。
【図９】テストの評価基準となる角Δβを示す図表である。
【図１０】貫通部の他の例を示す外側面図である。
【図１１】解析方法を示す概念図である。
【図１２】解析方法の妥当性を示す図表である。
【図１３】解析結果を示す図表である。
【図１４】解析結果を示す図表である。
【図１５】解析結果を示す図表である。
【発明を実施するための形態】
【００１０】
好ましくは、前記低剛性部の前後方向の領域は、前記外踝の前端から後端までのアッパーの部位の一部または全部を含む。
【００１１】
踵接地後、外踝およびその下方の皮膚が大きく変形するため、外踝又はその真下の部位を低剛性にすることにより、アッパーが変形し易く、踵骨が外反する方向への慣性力が抑えられ、踵骨外反が抑えられる。
【００１２】
好ましくは、前記低剛性部は、前記アッパーを形成する内皮および外皮のうち少なくとも外皮を貫く貫通部で定義される。
【００１３】
本発明において貫通部は前記貫通孔、スリットおよび切り込みを含む。また、貫通部はその全周囲がアッパーで囲まれているものを意味し、履き口の上縁の一部を除去した切り欠きを含まない。また、外皮の貫通部に外皮に代えて前記外皮よりも剛性の小さい布帛を付着した場合も本発明に含まれる。
【００１４】
また、内皮とは、少なくとも履き口およびその下方において、足の内側面または外側面を覆い、かつ、前記足の内側面および外側面に接する部材を意味し、一般に、柔軟な織布やメッシュ材で形成される場合が多い。
【００１５】
一方、外皮とは、前記内皮に対し貼り合わ（縫着および／または接着を含む）され、足の内側面および外側面を広範囲にわたって覆う部材を意味し、一般に、前記内皮よりも曲げ剛性や引張剛性の大きい素材で形成される場合が多い。
なお、前記外皮の外面に部分的に付着（縫着および／または接着）される帯状ないしテープ状の補強材は前記外皮の概念から除外される。また、部分的に設けられた、樹脂の非発泡体からなるカウンターのような補強材も前記外皮の概念から除外される。
【００１６】
低剛性部が少なくとも外皮を貫く貫通部である場合、確実かつ容易に大きな低剛性化が可能である。
【００１７】
より好ましくは、前記低剛性部は、前記アッパーを形成する内皮および外皮の双方を貫く貫通部で定義される。
【００１８】
この場合、確実かつ容易に更に大きな低剛性化を実現し易い。
【００１９】
更に好ましくは、前記低剛性部は前記アッパーを形成する前記内皮、外皮および内皮と外皮との間のクッション材を貫通している貫通部で形成されている。
【００２０】
内皮、外皮およびクッション材を貫通する貫通部は前記低剛性化に寄与し、かつ、貫通部の下方と上方との変形の連続性を小さくするだろう。
【００２１】
好ましくは、前記低剛性部の上下方向の領域は、前記外踝の上端から距骨下関節の最下端までのアッパーの部位の一部または全部を含む。
【００２２】
踵接地後、距骨下関節の部位上の皮膚の変形が特に大きいため、当該部位の一部または全部を低剛性部にすることにより、アッパーが変形し易く、踵骨が外反する方向への慣性力が抑えられ、踵骨外反が抑えられる。
【００２３】
本明細書において、「ＭＭからＮＮまで（ＭＭおよびＮＮは任意の部位）」とは、ＭＭとＮＮとの間の部位に加え、ＭＭおよびＮＮの部位を含むことを意味する。たとえば、一例を示すと、「前記外踝の上端から距骨下関節の最下端まで」とは前記外踝の上端と距骨下関節の最下端との間の部位に加え、前記外踝の上端および距骨下関節の最下端を含むことを意味する。
【００２４】
好ましくは、前記低剛性部の上下方向の領域は、前記外踝の上端から外踝の下端までのアッパーの部位の一部または全部を含む。
【００２５】
踵接地後、前記外踝の上端から下端までの部位上の皮膚の変形が特に大きいため、当該部位の一部または全部を低剛性部にすることにより、アッパーが変形し易く、踵骨が外反する方向への慣性力が抑えられ、踵骨外反が抑えられる。
【００２６】
好ましくは、前記アッパーの後足部の上縁は前記外踝の下端よりも上方に配置され前記外踝の少なくとも一部を覆っている。
【００２７】
かかるハイカットないしミドルカットのアッパーの場合、低剛性部による踵骨外反の抑制効果が高まる。
【００２８】
好ましくは、前記低剛性部は前記前後方向に１ｃｍ〜８ｃｍの長さを有している。
【００２９】
前後方向にある程度以上の長さを有する低剛性部はアッパーの上下の変形の連続性を遮断ないし弱め、低剛性部よりも下のアッパーに拘束されることなく、足の自由な動作が許容される。
【００３０】
かかる観点から低剛性部や貫通部の前後方向の長さは１．５ｃｍ以上が更に好ましく、２ｃｍ以上が最も好ましい。
【００３１】
一方、前記前後方向の長さが８ｃｍを越えると、低剛性部や貫通部により、アッパーの履き口近傍のアッパー変形を過度に誘発し、履き口近傍のフィット性能が低下するだろう。かかる観点から、低剛性部や貫通部の前後方向の長さは６ｃｍ以下が更に好ましく、５ｃｍ以下が最も好ましい。低剛性部が貫通孔（スリットを含む）や切り込みのような貫通部である場合、前記長さは２．５ｃｍ〜５ｃｍ程度が特に好ましい。
【００３２】
本発明の好適なアッパーにおいては、
前記アッパーの後足部の上縁は前記外踝の下端よりも上方に配置され前記外踝の少なくとも一部を覆っており、
前記アッパーの後足部の外側面には、前記アッパーを形成する内皮および外皮のうち少なくとも外皮を貫く貫通部が設けられ、
前記貫通部は周囲がアッパーの外皮に完全に囲まれた少なくとも１つの貫通孔または切り込みからなり、
前記貫通部の上下方向の領域は、前記外踝の上端から距骨下関節の最下端または外踝の最下端までのアッパーの部位の一部または全部を含み、
前記貫通部の前後方向の領域は、距骨と踵骨との間の前記距骨下関節の前端から後端までのアッパーの部位の一部または全部を含み、
前記貫通部は前後方向に１ｃｍ〜８ｃｍの長さを有している。
【００３３】
上下方向における外踝の上端から距骨下関節または外踝の最下端までのアッパーの部位であって、前後方向における距骨と踵骨との間の前記距骨下関節の前端から後端までのアッパーの部位の皮膚は、踵接地後、最も大きく変形するため、当該部位を貫通部にすることにより、アッパーが変形し易く、踵骨が外反する方向への慣性力が抑えられ、踵骨外反が抑えられる。したがって、プロネーションの抑制に寄与するだろう。
また、前後方向にある程度以上の長さを有する貫通部は外側のアッパーの上下の変形の連続性を遮断ないし弱め、貫通部よりも下のアッパーに拘束されることなく、足の自由な動作が許容される。
【００３４】
前記好適なアッパーにおいて、より好ましくは、前記貫通部の上下方向の領域は、前記外踝の上下方向の中心から距骨下関節の最下端または外踝の最下端までのアッパーの部位の一部または全部を含む。
【００３５】
外踝の上半分の部位よりも外踝の下半分の部位またはその近傍の下方の部位の方が前記変形が大きい。したがって、かかる部位に貫通部が設けられている方がアッパーが変形し易く、踵骨外反が抑制される。
【００３６】
前記好適なアッパーにおいて、更に好ましくは、前記貫通部は前記内皮および外皮の双方を貫通している。
【００３７】
この場合、内皮および外皮の双方を貫通する貫通部は低剛性化に寄与し、かつ、貫通部の下方と上方との変形の連続性を小さくするだろう。
【００３８】
好ましくは、前記低剛性部の上下方向の領域は、前記外踝の上下方向の中心から距骨下関節の最下端または外踝の最下端までのアッパーの部位の一部または全部を含む。
【００３９】
前述と同様に、外踝の上半分の部位よりも外踝の下半分の部位またはその近傍の下方の部位の方が前記変形が大きい。したがって、かかる部位に低剛性部が設けられている方がアッパーが変形し易く、踵骨外反が抑制される。
【００４０】
好ましくは、前記低剛性部または貫通部は、前記上下方向に比べ前記前後方向に長い。
【００４１】
前後方向に長い貫通部等はアッパーの上下の変形の連続を遮断し易い。一方、貫通部が上下方向に短いアッパーは足を安定して支持できる。
【００４２】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００４３】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【００４４】
以下、本発明の実施例が図１〜図６を参照して説明される。
以下の説明では、右足用の靴が例示される。
図１に示す靴は、たとえばランニング用の靴で、ソール３にアッパー１が固定されている。前記アッパー１は内皮１２、外皮１３、補強部材１４およびシューレース（締付部材）１５を備えている。
【００４５】
ソール３はアッパー１の下に配置され路面に接地するものである。前記内皮１２および外皮１３は、少なくとも、後足部１Ｒにおいて足の内側面１１および外側面１０を包む。補強部材１４およびシューレース１５はアッパー１を足にフィットさせるためのものである。
【００４６】
図１に示すように、アッパー１には足を着用時に挿入するための履き口７が形成されている。前記履き口７は着用中に脚が上方に出るもので、前記履き口７の前方の部位には前記シューレース１５が配置される。
【００４７】
前記内皮１２としては例えば柔軟な織布を採用してもよい。一方、前記外皮１３としては前記内皮１２よりも剛性の大きいメッシュ材、織布、人工皮革および／または天然皮革を採用してもよい。
【００４８】
本実施例の場合、図５の外踝Ｕよりも下方の下部１６の外皮１３は人工皮革で形成され、一方、外踝Ｕの下端ＵＥよりも上方の上部１７の外皮１３は樹脂のメッシュ材で形成されている。前記人工皮革と樹脂のメッシュ材は互いに接合（例えば縫合）されて上下方向Ｙに連なっている。
なお、上部１７および下部１６の外皮１３が互いに同じ素材で構成されていてもよい。
【００４９】
図６の断面図に示すように前記上部１７において、前記内皮１２と外皮１３との間には、履き口７の近傍におけるフィット感を高めるために樹脂またはゴムの発泡体やフェルトなどのクッション（アンクルパッド）１８が挟まれていてもよい。前記内皮１２と外皮１３との間には、図５の中足部や前足部の外皮１３の内面に付着された裏打ち材が挟まれていてもよい。
【００５０】
アッパー１の上縁１Ｅは、一般に、内皮１２が外に向かって折られて、内皮１２で定義されてもよい。なお、踵の背面および側面には月形芯やカウンターが内蔵、内装および／または外装されていてもよい。
【００５１】
前記アッパー１の後足部１Ｒの上縁１Ｅは前記外踝Ｕの下端ＵＥよりも上方に配置され前記アッパー１の上部１７が前記外踝Ｕの少なくとも一部を覆っている。すなわち、前記アッパー１はミドルカットないしハイカットである。前記アッパー１の上部１７は距骨Ｔの一部または全部を側面から覆い、一方、前記アッパー１の下部１６は踵骨Ｃの一部または全部を側面から覆う。前記距骨Ｔと踵骨Ｃとの間の距骨下関節Ｊの一部または全部も前記アッパー１に覆われている。
【００５２】
図２および図６に示すように、前記アッパー１の後足部１Ｒの外側面１０には、前記アッパー１を形成する内皮１２および外皮１３の双方を貫く貫通部Ｈが設けられている。図２の前記貫通部Ｈは周囲がアッパー１の外皮１３に完全に囲まれた少なくとも１つの貫通孔からなり、図７の貫通部Ｈは、少なくとも１つの切り込みからなる。
なお、「貫通孔」とは面積を持つ孔を意味し、「切り込み」とは面積を実質的に有していない割れ目を含み、両者は履き口７に連なる切り欠きを含まないことを意味する。
【００５３】
図４に示すように、前記貫通部Ｈの上下方向Ｙの領域は、前記外踝Ｕから距骨下関節Ｊの最下端ＪＥまたは外踝Ｕの最下端ＵＥまでのアッパー１の部位Ｙ１，Ｙ２の一部または全部を含んでいてもよい。ここで、一般に距骨下関節Ｊの最下端ＪＥは外踝Ｕの最下端ＵＥよりも若干下方に位置するものの、骨格から前記位置を正確に把握することは難しい。したがって、前記外踝Ｕから距骨下関節Ｊの最下端ＪＥまでのアッパー１の部位Ｙ１とは、外踝Ｕの最下端ＵＥまでのアッパー１の部位Ｙ２および前記外踝Ｕの最下端ＵＥよりも若干下方（５〜６ｍｍ程度）を含む部位という程度に解さなければならない。
【００５４】
好ましくは、前記貫通部Ｈの上下方向Ｙの領域は、前記外踝Ｕの上下方向の中心ＵＣから距骨下関節Ｊの最下端ＪＥまたは外踝Ｕの最下端ＵＥまでのアッパー１の部位の一部または全部を含んでいてもよい。
ここで、外踝Ｕの上下方向Ｙの中心ＵＣとは、外踝Ｕの最下端ＵＥから上端までを上下方向Ｙに２等分する点を意味する。また、外踝Ｕの上端とは、便宜上、外踝Ｕにおける距骨Ｔの上端ＴＥの位置を意味すると解さなければならない。外踝Ｕの上下方向Ｙの領域は定義し難く、そのため、このように定義した。
したがって、外踝Ｕの上半分とは点ＵＣよりも上方で点ＴＥまでの部位をいい、外踝Ｕの下半分とは点ＵＣから点ＵＥまでの部位であると解される。  
【００５５】
より好ましくは、前記貫通部Ｈの上下方向Ｙの領域は、前記距骨下関節Ｊの上端ＪＵから距骨下関節Ｊの最下端ＪＥまでのアッパー１の部位Ｙ３の一部または全部を含む。
【００５６】
一方、前記貫通部Ｈの前後方向Ｘの領域は、距骨Ｔと踵骨Ｃとの間の前記距骨下関節Ｊの前端ＪＦから後端ＪＢまでのアッパー１の部位Ｘ１の一部または全部を含んでいてもよい。より好ましくは、前記貫通部Ｈの前後方向Ｘの領域は、前記外踝Ｕの前端ＵＦから後端ＵＢまでのアッパー１の部位Ｘ２の一部または全部を含む。
【００５７】
前記貫通部Ｈは、前記上下方向Ｙに比べ前記前後方向Ｘに長くてもよく、前記前後方向Ｘに１ｃｍ〜８ｃｍの長さを有していてもよい。
なお、図３の内側面１１は図示しない内踝を含む足の内側を覆い、前記貫通部Ｈは設けられていない。
【００５８】
つぎに、本発明の効果を明瞭にするために、図８および図９に基づき、靴を着用したテストについて説明する。テストには、図８のタイプ１−６の靴を用いた。
【００５９】
タイプ１の靴は外側に貫通部Ｈではなく切り欠きが設けられている。
タイプ２の靴は貫通孔Ｈが図４の距骨下関節Ｊの最下端ＪＥよりも下方に設けられている。
タイプ３の靴は図１―図６に示した靴である。
タイプ４は図７に示した靴である。
タイプ５の靴の貫通孔Ｈはアッパー１の外側ではなく、内側に設けられている。
タイプ６の靴は貫通部Ｈを有していない。
【００６０】
これらの靴の性能は、被験者の歩行中に図９の外反の角Δβを所定のタイミングで計測することにより評価した。計測した角Δβの値を図８に示す。
【００６１】
タイプ２、３および４の角Δβの値が貫通孔を有していないタイプ６に比べ小さな良い値を示していることから、貫通部Ｈを後足部１Ｒ（図１）の外側に設けることで、外反を抑制し得ることが分かる。
【００６２】
また、貫通部Ｈではなく切り欠きを設けたタイプ１の角Δβの値が他のタイプよりも大きいことから、切り欠きを設けた場合は外反を抑制できないことが分かる。
【００６３】
また、タイプ３の角Δβの値がタイプ５に比べ小さな良い値を示していることから、内側ではなく外側に貫通部Ｈを設けることで、外反を抑制する効果が高まることが分かる。
【００６４】
また、タイプ３とタイプ４との比較から、貫通部Ｈは貫通孔ではなく切り込みであっても同等の効果が得られることが分かる。
【００６５】
つぎに、図１０を用いて他の例（タイプＡ−Ｌ）について説明する。
なお、図１０および図８において、貫通部Ｈが切り込みである場合に、貫通部Ｈの存在を分かり易くするために、貫通部Ｈを太い実線で示している。
図１０のタイプＡ，Ｂのように、貫通部Ｈは前記実施例よりも前後方向Ｘの長さが短くても、あるいは、長くてもよい。
【００６６】
図２および図７の例において貫通部Ｈは前方に向かって斜め下方に延びていたが、貫通部Ｈは図１０のタイプＣのように前後方向Ｘに水平に延びてもよいし、タイプＤのように、貫通部Ｈは前方に向かって斜め上方に延びていてもよい。
【００６７】
また、タイプＥ−Ｈのように、貫通部Ｈのレベル（高さ位置）は前記各例よりも若干上でも、下でもよい。
【００６８】
タイプＩのように、貫通部Ｈは複数設けられてもよい。複数の貫通部Ｈは斜め前後方向または前後方向に並んで例えば１列に配置されている。この場合、各貫通部Ｈは円形でもよいし、細長いスリット状でもよいし、あるいは、切り込みであってもよい。
【００６９】
貫通部Ｈが複数設けられている場合、前記前後方向Ｘの大きさは、前方の貫通部Ｈの最前端から後方の貫通部Ｈの最後端までと解するべきである。一方、前記上下方向Ｙの大きさは、上方の貫通部の最上端から下方の貫通部の最下端までと解するべきである。
【００７０】
タイプＪおよびＫのように、貫通部Ｈは前後方向Ｘに長い楕円形ないし長円形状でもよいし、タイプＬのように、貫通部Ｈは円形状であってもよい。
【００７１】
つぎに、電子計算器を利用したシミュレーションについて説明する。
図１１に示すように、踵骨がアッパーの外側面に荷重を与えるフェーズをイメージし、各タイプ（モデル）に対し同じ荷重を負荷し、モデル上に発生した外側への最大変位量Δを算出した。
【００７２】
図１２は貫通部Ｈと最大変位量Δの関係を示す。
図１２のタイプ１−４および６は、それぞれ、図８のタイプ１−４および６をモデル化したものである。図１２の最大変位量Δによる評価が図８の実施された角Δβの値による評価と相関関係があることから、本シミュレーションの妥当性を知ることができるだろう。すなわち、前記最大変位量Δが大きいということは、角Δβが小さいことと等価であると言えるだろう。
【００７３】
つぎに、前記シミュレーションの手法を用い、図１３―図１５の各タイプについて貫通部Ｈと最大変位量Δとの関係を示す。これらの図において、太い破線は貫通部Ｈを内外に設けていないタイプ６の値を示す。また、図１３―図１５の各タイプは図１０の各タイプをモデル化したものである。
【００７４】
図１３のタイプ４−１や図１５のタイプ３−２のように貫通部Ｈが前後方向Ｘに十分な長さを有していない場合、最大変位量Δが然程大きくならないが貫通部を有していないタイプ４よりは大きいことが分かる。また、貫通部Ｈの上下方向Ｙの幅が最大変位量Δに与える影響は小さいことが分かる。
【００７５】
図１３のタイプ４−２はタイプ４や図１５のタイプ３に比べ最大変位量Δが大きい。このことから、貫通部Ｈの前後方向Ｘの長さが最大変位量Δに与える影響は大きいことが分かる。
【００７６】
図１４のタイプ４，４−３，４−４および４−５の比較から、貫通部Ｈのレベル（高さ位置）は、履き口７に近付きすぎると、最大変位量Δが然程大きくならないが貫通部を有していないタイプ４よりは大きいことが分かる。
【００７７】
図１５のタイプ３，３−１および３−２の比較から、貫通部Ｈの前後方向Ｘの長さは最大変位量Δと大きな相関関係があることが分かる。
【００７８】
以上のとおり、図面を参照しながら好適な実施例を説明したが、当業者であれば、本明細書を見て、自明な範囲内で種々の変更および修正を容易に想定するであろう。
たとえば、アッパーの後足部の上部および下部の外皮がメッシュ材で形成されていてもよく、あるいは、前記上部および下部が人工皮革や天然皮革で形成されていてもよい。
また、外側の貫通部に加え、内側に貫通部を設けてもよい。
また、補強部材として非発泡の樹脂からなるカウンターが設けられてもよい。
シューレースに代え、あるいは、シューレースに加えて、締付部材としてベルトが採用されてもよい。更に、締付部材は設けられていなくてもよい。
したがって、そのような変更および修正は請求の範囲から定まる本発明の範囲内のものと解釈される。
【産業上の利用可能性】
【００７９】
本発明はランニング用の靴の他、ウォーキングなどの種々の用途の靴に適用できる。
【符号の説明】
【００８０】
１：アッパー  １Ｅ：上縁  １Ｒ：後足部
１０：外側面  １１：内側面  １２：内皮  １３：外皮  １４：補強部材  １５：シューレース  
１６：下部  １７：上部  １８：発泡体
３：ソール 
７：履き口
Ｂ：腓骨
Ｈ：貫通部
Ｊ：距骨下関節  ＪＢ：後端  ＪＥ：最下端  ＪＦ：前端  ＪＵ：上端
Ｃ：踵骨  Ｔ：距骨  ＴＥ：上端  
Ｕ：外踝  ＵＢ：後端  ＵＣ：中心  ＵＥ：最下端  
Ｘ１，Ｘ２，Ｙ１，Ｙ２，Ｙ３：部位
Ｘ：前後方向  Ｙ：上下方向
【図１】
0006453083.tif 000002
【図２】
0006453083.tif 000003
【図３】
0006453083.tif 000004
【図４】
0006453083.tif 000005
【図５】
0006453083.tif 000006
【図６】
0006453083.tif 000007
【図７】
0006453083.tif 000008
【図８】
0006453083.tif 000009
【図９】
0006453083.tif 000010
【図１０】
0006453083.tif 000011
【図１１】
0006453083.tif 000012
【図１２】
0006453083.tif 000013
【図１３】
0006453083.tif 000014
【図１４】
0006453083.tif 000015
【図１５】
0006453083.tif 000016